(57)【要約】【課題】本発明は平型導体用電気コネクタ及びこれと平型導体との組み立て方法を提供する。【解決手段】本発明は、絶縁ハウジングと、シールドケースを備え、絶縁ハウジング内には平型導体を挿嵌させるための案内溝が形成され、絶縁ハウジングの平型導体の２つの切欠き部に対応するところに２つの嵌め溝が設けられ、嵌め溝は平型導体の厚さ方向に沿って案内溝と絶縁ハウジングの外側の間に連通される。嵌め溝には絶縁ハウジングと一体に連接されるスナップフィット部が内設され、自然状態ではスナップフィット部の保持部が案内溝に延出する。組立時に平型導体を案内溝に挿嵌し、スナップフィット部に当接させて動かし、平型導体が完全に挿嵌すると、スナップフィット部が自動的に平型導体と係合する。又は、組立時に治具を用いて保持部を持ち上げ、平型導体を完全に挿嵌させてから、治具を取り外すと、スナップフィット部が自動的に平型導体と係合する。本発明は構造が簡単で、製造しやすく、手軽且つ迅速に組み立て可能で、生産効率及び製品品質を効果的に向上させる。
2015516661.tif 000002
【特許請求の範囲】
【請求項１】
絶縁ハウジングを備え、当該絶縁ハウジングの側面には、前端に連接部が設けられる平型導体を、導入するために開口された案内溝が形成され、相対する反対側には、相手コネクタと嵌合するための嵌合部が形成され、前記嵌合部には前記案内溝と連通する嵌合口が設けられ、開口した案内溝に平型導体の連接部を導入し、前記嵌合部に位置決めして相手コネクタと接触する電気コネクタにおいて、
前記絶縁ハウジングの平型導体の厚さ方向に沿って平型導体の止め処に対応するところにそれぞれ前記案内溝に貫通する嵌め溝が欠設され、前記嵌め溝内に前記絶縁ハウジングからスナップフィット部が一体に形成され、当該スナップフィット部は前記絶縁ハウジングに連接される弾性アームと保持部を備え、前記保持部は前記案内溝に伸び、平型導体が前記案内溝に挿嵌後、前記弾性アームの反発作用によって平型導体の切欠き部に係合して平型導体の抜けを防止することを特徴とする平型導体用電気コネクタ。
【請求項２】
前記保持部には平型導体を簡単に挿嵌させるための案内斜面が設けられ、当該平型導体は前記保持部の前記案内斜面に当接することにより、前記保持部が前記弾性アームの弾力の働きで自動的に上向きにして平型導体が容易に挿嵌できるようになり、最後に、前記保持部が前記弾性アームの反発作用によって当該平型導体の前記切欠き部に係合することを特徴とする請求項１に記載の平型導体用電気コネクタ。
【請求項３】
前記保持部の前記平型導体の外側には被当接部が設けられ、当該被当接部は外部の治具により当接されて前記保持部を上向きにさせることで、当該平型導体が容易に挿嵌できるようになり、最後に、前記保持部が前記弾性アームの反発作用によって当該平型導体の前記切欠き部に係合することを特徴とする請求項１に記載の平型導体用電気コネクタ。
【請求項４】
前記保持部には更にガイド部を弾性活動させるための逃げ溝が設けられることを特徴とする請求項１に記載の平型導体用電気コネクタ。
【請求項５】
前記嵌合口の左右両側には平型導体の前端を押止するためのストッパー部が設けられることを特徴とする請求項１に記載の平型導体用電気コネクタ。
【請求項６】
前記嵌合口の前端には平型導体の前端を押止するための反り防止部が設けられることを特徴とする請求項１に記載の平型導体用電気コネクタ。
【請求項７】
更にシールドケースと左右２つのロックアームを有することを特徴とする請求項１に記載の平型導体用電気コネクタ。
【請求項８】
前記シールドケースと左右２つの前記ロックアームは一体に形成され、当該ロックアームは押止部と弾性被圧部とフック部を備え、当該押止部は前記シールドケースに一体に連接されることを特徴とする請求項７に記載の平型導体用電気コネクタ。
【請求項９】
（１）平型導体用電気コネクタ、平型導体及び上押圧ブロックを備える治具を用意するステップと、
（２）前記治具の当該押圧ブロックを用いて、設定したスケジュールで上向きに前記被当接部を押圧することで、前記被当接部が前記弾性アームの働きによって前記保持部上向きに動かして前記保持部を持ち上げることにより、平型導体を無挿入力で前記被当接部を通すステップと、
（３）平型導体を前記案内溝に挿嵌し、当該平型導体の前端にある連接部を前記嵌合部に置くステップと、
（４）前記被当接部を治具から解放し、前記保持部が前記弾性アームの反発作用によって元に戻ると、この時前記保持部が前記案内溝に延び、且つ平型導体の前記切欠き部に係合するステップとの上述の組立ステップを有することを特徴とする請求項３に記載の平型導体用電気コネクタ及びこれと平型導体との組み立て方法。
【請求項１０】
平型導体用電気コネクタは更に請求項４乃至請求項８のいずれか１つに記載の構造を有することを特徴とする請求項９に記載の平型導体用電気コネクタ。
【発明の詳細な説明】
【技術分野】
【０００１】
本発明は電気コネクタに関し、特に液晶ディスプレーの信号伝送用の平型導体用電気コネクタ及びこれと平型導体との組み立て方法に関するものである。
【背景技術】
【０００２】
インタネット技術及び通信技術の発展に連れて、消費者の高速の伝送速度に対する需要がますます高くなる。パソコン及び電子製品に搭載される電気コネクタは高周波及び高速の信号伝送に対応しなければならないため、近年開発が進む高速差動伝送(Low voltage differential signaling；LVDS)用コネクタがある。LVDSは短距離用のデジタル有線伝送技術であり、小振幅・低消費電力で比較的高速の差動インターフェースである。低消費電力、低誤読率というメリットがある。
【発明の概要】
【発明が解決しようとする課題】
【０００３】
従来のLVDSコネクタは主要な構造の絶縁ハウジング、シールドケースを備えており、当該絶縁ハウジングは前、後端を開口された収納スペースが形成され、平型導体が当該収納スペースの後端開口から挿嵌され、且つ当該平型導体の前端にある連接部（エッジコネクタ）が収容スペースの前端開口から露出される。平型導体（例えばFPC又はFFC）に対する抜け止め機能としては、平型導体に切欠きが設けられ、且つ位置制御ユニットを当該切欠きと係合させて平型導体を固定する。しかしながら、従来のLVDSコネクタ用の位置制御ユニットは構造が複雑で、このため平型導体を組立てる際に手間がかかるので生産効率の向上には向かない。
【０００４】
そこで、本発明は上記の問題点を解決するために、新たな技術を開発しようとするものである。
【０００５】
本発明はこのような従来の問題点に鑑みなされたもので、本発明の第一の目的は平型導体用電気コネクタを提供することにある。この場合、平型導体を直接スナップフィット部に当接させ動かし、スナップフィット部を自動的に元の位置に戻して平型導体と係合させる。本発明では構造が簡単で、手軽且つ迅速に組み立て可能で、組立後の平型導体も構造が安定で抜けにくく、生産効率及び製品品質を効果的に向上させる。
【０００６】
また、本発明の第二の目的はもう一種の平型導体用電気コネクタを提供することにある。この場合、治具を用いて保持部を持ち上げ、平型導体を完全に挿嵌したら、治具を取り外し、スナップフィット部を自動的に元の位置に戻して平型導体と係合させる。本発明では構造が簡単で、手軽且つ迅速に組み立て可能で、組立後の平型導体も構造が安定で抜けにくく、生産効率及び製品品質を効果的に向上させる。
【０００７】
更に、本発明の第三の目的は平型導体用電気コネクタ及びこれと平型導体との組み立て方法を提供することにある。本発明では組立てステップが簡単で、迅速に組み立て可能で、大幅に組立て効率を高め、生産コストを軽減する。
【課題を解決するための手段】
【０００８】
上記目的を達成するために、本発明の平型導体用電気コネクタは、絶縁ハウジングを備え、当該絶縁ハウジングの側面には、前端に連接部の設けられる平型導体を、導入するための開口した案内溝が形成され、相対する反対側には、相手コネクタと嵌合するための嵌合部が形成され、前記嵌合部には前記案内溝と連通する嵌合口が設けられ、開口した案内溝に平型導体の連接部を導入し、前記嵌合部に位置決めつつ相手コネクタと接触する電気コネクタにおいて、
前記絶縁ハウジングが平型導体の厚さ方向に沿って平型導体の止め処の二つの切欠き部に対応するところにそれぞれ前記案内溝を貫通する嵌め溝が欠設され、
前記嵌め溝の内に前記絶縁ハウジングからスナップフィット部が一体に形成され、当該スナップフィット部は前後方向に延びて前記絶縁ハウジングに連接される弾性アームと、上下方向に延びる保持部を備え、前記保持部は前記案内溝に伸び、平型導体が前記案内溝に挿嵌後、前記弾性アームの反発作用を借りて平型導体の切欠き部に係合して平型導体の抜けを防止することを特徴とする。
【０００９】
この場合、前記保持部には平型導体を簡単に挿嵌させるための案内斜面が設けられ、当該平型導体は前記保持部の前記案内斜面に当接することにより、前記保持部が前記弾性アームの弾力の働きで自動的に向上して平型導体が容易に挿嵌できるようになり、最後に、前記保持部が前記弾性アームの反発作用を借りて当該平型導体の前記切欠き部に係合することが好ましい。
【００１０】
前記保持部の前記平型導体の外側には被当接部が設けられ、当該被当接部は外部の治具により当接されて前記保持部を向上させることで、当該平型導体が容易に挿嵌できるようになり、最後に、前記保持部が前記弾性アームの反発作用を借りて当該平型導体の前記切欠き部に係合することが好ましい。
【００１１】
本発明では前記保持部には平型導体の厚さ方向に沿って更にガイド部を弾性活動させるための逃げ溝が設けられることが好ましい。
【００１２】
前記嵌合口の左右両側には平型導体の前端を押止するためのストッパー部が設けられることが好ましい。
【００１３】
前記嵌合口の前端には平型導体の前端を押止するための反り防止部が設けられることが好ましい。
【００１４】
更にシールドケースと左右2つのロックアームを有することが好ましい。
【００１５】
前記シールドケースと左右2つの前記ロックアームは一体に形成され、当該ロックアームは押止部と弾性被圧部とフック部を備え、当該押止部は前記シールドケースに一体に連接されることが好ましい。
【００１６】
平型導体用電気コネクタ、平型導体及び治具を用意しておいて、当該治具は上押圧ブロックを備えるステップと、
前記治具の当該押圧ブロックを用いて、設定したスケジュールで上向いて前記被当接部を押圧することで、前記被当接部が前記弾性アームの働きによって前記保持部を動かして上向いて前記保持部が持ち上げられることにより、平型導体を無挿入力で前記被当接部を通すステップと、
平型導体を前記案内溝によって挿嵌し、当該平型導体の前端にある連接部が前記嵌合部に置かれるステップと、
前記被当接部を治具から解放し、前記保持部が前記弾性アームの反発作用によって元に戻ると、この時前記保持部が前記案内溝に延び、且つ平型導体の前記切欠き部に係合するステップとの上述の組立ステップを有することを特徴とする請求項3に記載の平型導体用電気コネクタ及びそれと平型導体との組み立て方法。
【００１７】
この場合、平型導体用電気コネクタは更に請求項4乃至請求項8のいずれか1つに記載の構造を有することが好ましい。
【発明の効果】
【００１８】
以上の説明から明らかなように、本発明にあっては従来の技術に比べて明らかなメリット及び効果があり、具体的には次に列挙する効果が得られる。
【００１９】
嵌め溝に絶縁ハウジングと一体に連接されるスナップフィット部が内設されることにより平型導体と係合する。自然状態では当該スナップフィット部の保持部が、平型導体のある案内溝に延出する。組立時に平型導体を直接案内溝に挿嵌し、スナップフィット部に当接させて動かし、平型導体を完全に挿嵌すると、スナップフィット部が自動的に平型導体と係合する。本発明は構造が簡単で、製造しやすく、手軽且つ迅速に組み立て可能で、組立後の平型導体も構造が安定で抜けにくく、生産効率及び製品品質を効果的に向上させることができる。
【００２０】
或いは、嵌め溝に絶縁ハウジングと一体に連接されるスナップフィット部が内設されることにより平型導体と係合する。自然状態では当該スナップフィット部の保持部が、平型導体のある案内溝に延出する。組立時に治具を用いて保持部を持ち上げ、平型導体を完全に挿嵌させて、治具を取り外すと、スナップフィット部が自動的に平型導体と係合する。本発明は構造が簡単で、製造しやすく、手軽且つ迅速に組み立て可能で、組立後の平型導体も構造が安定で抜けにくく、生産効率及び製品品質を効果的に向上させることができる。
【図面の簡単な説明】
【００２１】
【図１】本発明に係る第一の実施の形態の組立て状態を示す斜視図
【図２】本発明に係る第一の実施の形態の分解図
【図３】本発明に係る第一の実施の形態において平型導体を挿嵌する状態を示す断面図
【図４】本発明に係る第一の実施の形態において平型導体を挿嵌する状態を示す断面図
【図５】本発明に係る第一の実施の形態において平型導体を挿嵌する状態を示す断面図
【図６】図１のＢ−Ｂ線断面拡大図
【図７】図１のＣ−Ｃ線断面拡大図
【図８】本発明に係る好ましい実施例のもう一つの組立て状態を示す斜視図
【図９】本発明に係る第二の実施の形態の組立て状態を示す斜視図
【図１０】図９のＤで示した部分の拡大図
【発明を実施するための形態】
【００２２】
本発明の構造的特徴及び効果をより詳しく説明するために、以下、図面及び実施例を合せて本発明について詳しく説明する。
【００２３】
図１乃至図８をご参照下さい。図面に示すように、本発明の第一の実施の形態に係る平型導体用電気コネクタは絶縁ハウジング１０、シールドケース２０及び平型導体３０を備え、当該平型導体３０には２つの切欠き部３１が欠設される。
【００２４】
図２と図８に示すように、当該絶縁ハウジング１０は一体化された構造であり、当該絶縁ハウジング１０の側面には、前端に連接部の設けられる平型導体３０を、導入するために開口された案内溝１１が形成され、相対する反対側には、相手コネクタと嵌合するための嵌合部が形成され、前記嵌合部には前記案内溝１１と連通する嵌合口１７が設けられ、開口された案内溝１１に平型導体３０の連接部を導入し、前記嵌合部に位置決めして相手コネクタと接触させる。前記案内溝１１の後端入口に、平型導体３０を簡単に挿嵌させるための案内斜面１３が形成される。前記嵌合口１７の左右両側にはそれぞれ反り防止部１４が設けられ、当該反り防止部１４を以って下向きに平型導体３０の前端を圧下することで平型導体３０の前端のエッジコネクタ部分が上向きに反りあがるのを防止可能であり、また、前記嵌合口１７の開口前端には上向きにストッパー部１５が凸設され、当該ストッパー部１５を以って後ろ向きに平型導体３０の前端に当接させ、平型導体３０の前端の位置を制限する役割を果たす。
【００２５】
前記切欠き部３１に対応するところに２つの嵌め溝１２が欠設され、平型導体３０が完全に前記案内溝１１に挿嵌すると、当該嵌め溝１２は平型導体３０の厚さ方向に沿って前記案内溝１１と前記絶縁ハウジング１０の外側の間が連通される。
【００２６】
前記嵌め溝１２内に前記絶縁ハウジング１０からスナップフィット部１６が一体に形成され、当該スナップフィット部１６は前後方向に延びる弾性アーム１６１と、上下方向に延びる保持部１６２を備え、当該弾性アーム１６１は一端が前記絶縁ハウジング１０に一体に連接され、当該保持部１６２は当該弾性アーム１６１のもう一端から下向きに延びて形成され、且つ当該保持部１６２には更に平型導体３０を簡単に挿嵌させるための案内斜面１６５が形成され、自然状態では、前記スナップフィット部１６の外表面は前記絶縁ハウジング１０の外表面を越えず、前記保持部１６２は当該案内溝１１に延出される（図３をご参照）。平型導体３０が前記案内溝１１に挿嵌される際に、前記保持部１６２の前記案内斜面１６５が平型導体３０に当接され、前記保持部１６２が前記案内溝１１から離れるまで前記弾性アーム１６１が上向きに反りあがる。平型導体３０が完全に挿嵌されると、前記スナップフィット部１６が自動的に元に戻り平型導体３０と係合する（図４及び図５をご参照）。
【００２７】
また、図３乃至図５に示すように、前記案内斜面１６５は以下に述べる第二の実施の形態における当接斜面１６３の役割を兼ね備える。更に、前記保持部１６２の底側面に、以下に述べる第二の実施の形態における逃げ溝１６４を設けても良い。
【００２８】
前記シールドケース２０は前記絶縁ハウジング１０内に位置し、前記案内溝１１の下方には前記シールドケース２０を挿入するための収容部１９が設けられる。当該シールドケース２０はシールドケース基板２１と、当該シールドケース基板２１の左右両側にそれぞれ連接されるロックアーム２２を備え、当該ロックアーム２２は一体に連接される押止部２２１、弾性被圧部２２２及びフック部２２３を備え、２つの当該押止部２２１はそれぞれ一体に当該シールドケース基板２１の左右両側に連接される（図２をご参照）。前記シールドケース基板２１の側面には押止突起２１３が外へ延出して一体に形成される。前記シールドケース２０を前記絶縁ハウジング１０内に組立てると、当該押止突起２１３が前記絶縁ハウジング１０にしっかりと当接する（図７をご参照）。前記シールドケース２０には弾性係合部２１２が増設され、相対的に前記絶縁ハウジング１０には前記弾性係合部２１２に対応する被係合溝が欠設され、当該弾性係合部２１２は当該被係合溝に係合される。前記シールドケース２０には更に平型導体３０と接触させるためのコンタクト２１１が設けられる。前記シールドケース基板２１と前記案内溝１１との間には前記コンタクト２１１を活動させるための通し溝１８が形成され、当該通し溝１８の前端には平型導体３０を簡単に挿嵌させるためのガイド斜面１８１が設けられる（図６をご参照）。
【００２９】
組立時に前記シールドケース２０を前記収容部１９に挿嵌し、そして、平型導体３０を前記案内溝１１に挿嵌する。平型導体３０を完全に挿嵌すると、前記スナップフィット部１６が自動的に元に戻り、前記保持部１６２が平型導体３０の前記切欠き部３１に係合する。これにより、前記電気コネクタの組立て及び前記電気コネクタと平型導体３０との連接固定が完了する。
【００３０】
そして、図９及び図１０をご参照ください。図面に示すように、本発明の第二の実施の形態における具体的な構造を開示したが、第一の実施の形態と比べると、主な構造は同様であり、異なったところは以下、図面を参照して詳しく説明する。本実施の形態においては治具を用いて前記スナップフィット部１６を持ち上げ、そして平型導体３０を前記案内溝１１に挿嵌する。具体的に言えば、当該スナップフィット部１６は前後方向に延びる前記弾性アーム１６１と、上下方向に延びる前記保持部１６２と、治具に持ち上げられるための被当接部１６６を備え、前記弾性アーム１６１は一端が前記絶縁ハウジング１０に一体に連接され、当該保持部１６２は当該弾性アーム１６１のもう一端から下向きに延びて形成され、当該被当接部１６６は一体に当該弾性アーム１６１に連接される。自然状態ではスナップフィット部１６の前記保持部１６２が当該案内溝１１に延出する。
【００３１】
また、本実施の形態において、前記保持部１６２には当接斜面１６３が設けられる。平型導体３０が当該当接斜面１６３の圧力によって前記案内溝１１の底面にしっかりと押し付けられるため、平型導体３０の上下振動の発生を有効に防止可能である。更に、前記保持部１６２の底側面には、前記保持部１６２が平型導体３０の前記切欠き部３１を押す際に弾性変形させるための逃げ溝１６４が上向きに凹設される。
【００３２】
図１０に示すように、本実施の形態においては、前記保持部１６２にはガイド部１６７が設けられ、当該ガイド部１６７が前記切欠き部３１に押される際に弾性変形するため、前記保持部１６２がより簡単に平型導体３０の前記切欠き部３１に係合するようになる。前記保持部１６２が前記切欠き部３１に係合すると、前記当接斜面１６３が前記保持部１６２の弾性回復によってもっとしっかりと平型導体３０に押し付けられるようになる。もちろん、前記の第一の実施の形態においてもこのような構造を備えても良い。
【００３３】
前記電気コネクタと平型導体３０との組立時、前記治具を用いて、前記スナップフィット部１６の前記被当接部１６６を押圧することで、前記保持部１６２が完全に前記案内溝１１から離れるまで前記スナップフィット部１６を持ち上げ、平型導体３０を前記案内溝１１に挿嵌し、この時、平型導体３０を無挿入力で前記被当接部１６６を通せる。平型導体３０が完全に前記案内溝１１に挿嵌してから、治具を取り外すと、前記スナップフィット部１６が自動的に元に戻り、前記保持部１６２が前記案内溝１１に延びて平型導体３０の前記切欠き部３１に係合する。これにより、前記電気コネクタの組立て及び前記電気コネクタと平型導体３０との連接固定が完了する。
【００３４】
以上の各実施の形態から明らかなように、本発明について特に注目すべき点は、前記嵌め溝１２に前記絶縁ハウジング１０と一体に連接される前記スナップフィット部１６が内設されることにより平型導体３０と係合することにある。自然状態では当該スナップフィット部１６の前記保持部１６２が、平型導体３０のある前記案内溝１１に延出する。組立時に平型導体３０を直接前記案内溝１１に挿嵌させて、前記スナップフィット部１６に当接させて動かし、平型導体３０を完全に挿嵌すると、前記スナップフィット部１６が自動的に元に戻り平型導体３０と係合する。
【００３５】
或いは、組立時に治具を用いて前記保持部１６２を持ち上げ、平型導体３０を完全に挿嵌させて、治具を取り外すと、前記スナップフィット部１６が自動的に元に戻り平型導体３０と係合する。本発明は構造が簡単で、製造しやすく、手軽且つ迅速に組み立て可能で、組立後の平型導体も構造が安定で抜けにくく、生産効率及び製品品質を効果的に向上させることができる。
【００３６】
なお、上述では本発明の好ましい実施例を開示したに過ぎず、それを以って、本発明の特許請求の範囲が制限されることは無く、本発明の思想を逸脱することなく本発明の技術案に対する改造やそれと同じ置き換えを行っても、それはすべて本発明の範囲に含まれるものである。
【符号の説明】
【００３７】
１０  絶縁ハウジング
１１  案内溝
１２  嵌め溝
１３  案内斜面
１４  反り防止部
１５  ストッパー部
１６  スナップフィット部
１６１  弾性アーム
１６２  保持部
１６３  当接斜面
１６４  逃げ溝
１６５  案内斜面
１６６  被当接部
１６７  ガイド部
１７  嵌合口
１８  通し溝
１８１  ガイド斜面
１９  収容部
２０  シールドケース
２１  シールドケース基板
２１１  コンタクト
２１２  弾性係合部
２１３  押止突起
２２  ロツクアーム
２２１  押止部
２２２  弾性被圧部
２２３  フック部
３０  平型導体
３１  切欠き部
【図１】
2015516661.tif 000003
【図２】
2015516661.tif 000004
【図３】
2015516661.tif 000005
【図４】
2015516661.tif 000006
【図５】
2015516661.tif 000007
【図６】
2015516661.tif 000008
【図７】
2015516661.tif 000009
【図８】
2015516661.tif 000010
【図９】
2015516661.tif 000011
【図１０】
2015516661.tif 000012
【図１１】
2015516661.tif 000013
【図１２】
2015516661.tif 000014
【図１３】
2015516661.tif 000015
【図１４】
2015516661.tif 000016
【図１５】
2015516661.tif 000017
【図１６】
2015516661.tif 000018
【図１７】
2015516661.tif 000019
【国際調査報告】
2015516661.tif 000020
2015516661.tif 000021
2015516661.tif 000022
2015516661.tif 000023
2015516661.tif 000024
2015516661.tif 000025